(57)【要約】【課題】電子装置の電源系統部に高温による異常が発生した場合でも、異常の検出を確実に且つ容易に行うことができる電子装置、電子装置システム及びプログラムを提供する。【解決手段】予兆検出手部（１０７）により第１のＭＦＰ（１００）の電源系統部（１１０、１１１、１１２）に高温による異常の予兆が検出された場合、第２のＭＦＰ（２００）は、予め定められた頻度で第１のＭＦＰ（１００）へ通信し、ＯＮ／ＯＦＦ情報、予兆発生情報及び第１のＭＦＰ（１００）のコントローラ（１０１）により検出された温度情報を受信し、温度情報が得られない場合に、第１のＭＦＰに高温による異常が発生したと判定して、ネットワーク（４００）を介して管理センタ（４０１）へ異常発生情報を送信する。【選択図】図１
2011205776.tif 000002
【特許請求の範囲】
【請求項１】
高温による異常を検出する異常検出手段と、
高温による異常の予兆を検出する予兆検出手段と、
前記予兆検出手段により高温による異常の予兆を検出した場合、電源投入情報、予兆発生情報及び前記異常検出手段による検出結果を出力する出力手段と、
を有する電子装置。
【請求項２】
前記異常検出手段は、複数の対象部位毎に複数設けられている請求項１記載の電子装置。
【請求項３】
前記予兆検出手段は、電源回路における電圧又は電流の異常を検出する請求項１又は２記載の電子装置。
【請求項４】
高温による異常を検出する異常検出手段と、高温による異常の予兆を検出する予兆検出手段と、前記予兆検出手段により高温による異常の予兆を検出した場合、電源投入情報、予兆発生情報及び前記異常検出手段による検出結果を出力する出力手段と、を有する第１の電子装置と、
前記第１の電子装置の出力手段の出力結果に基づいて、前記第１の電子装置に、高温による異常が発生したか否かを判定する判定手段を有する第２の電子装置と、
を有する電子装置システム。
【請求項５】
前記判定手段は、電源投入情報によれば電源が投入されているのに関わらず、前記第１の電子装置の前記異常検出手段による検出結果が得られない場合に、前記第１の電子装置に、高温による異常が発生したと判定する請求項４記載の電子装置システム。
【請求項６】
前記第２の電子装置は、前記第１の電子装置の予兆検出手段による予兆の検出が開始された場合は、前記第１の電子装置との通信を開始する通信制御手段をさらに有する請求項４又は５記載の電子装置システム。
【請求項７】
前記第２の電子装置は、前記第１の電子装置の予兆検出手段による予兆の検出が終了された場合は、前記第１の電子装置との通信を終了する通信制御手段をさらに有する請求項４又は５記載の電子装置システム。
【請求項８】
前記第２の電子装置は、前記第１の電子装置の予兆検出手段による予兆が検出されている場合は、前記第２の電子装置の電源の遮断を禁止するように制御する禁止手段をさらに有する請求項４乃至７いずれか記載の電子装置システム。
【請求項９】
前記第１の電子装置の出力手段の出力結果に基づいて、前記第１の電子装置に、高温による異常が発生したか否かを判定する判定手段をさらに有する第３の電子装置をさらに有する請求項４乃至８いずれか記載の電子装置システム。
【請求項１０】
前記第３の電子装置は、前記第２の電子装置の電源が遮断されている場合は、前記第２の電子装置に代行して前記第１の電子装置に、高温による異常が発生したか否かを判定する請求項９記載の電子装置システム。
【請求項１１】
高温による異常を検出する異常検出ステップと、
高温による異常の予兆を検出する予兆検出ステップと、
高温による異常の予兆を検出した場合、電源投入情報、予兆発生情報及び前記異常検出手段による検出結果を出力する出力ステップと、
をコンピュータに実行させるプログラム。
【発明の詳細な説明】
【技術分野】
【０００１】
本発明は、高温による異常を検出することが可能な電子装置、電子装置システム及びプログラムに関する。
【背景技術】
【０００２】
従来、電子装置として、例えば特許文献１に開示された高温による異常発生の事故解析に適用可能な技術がある。この電子装置によれば、サーミスタを複数設けて定着器の温度や機内の温度、機外の温度を検出したり、ＡＣ入力電源の入力電圧の検出、装置内のＤＣ電圧の検出等を行うことにより事故解析に必要な情報を検出し、この情報を記憶装置に格納する。
【０００３】
また、印刷装置内に本体とは独立した系で通信ユニット、電源管理ユニット、熱センサ及び発煙感知センサを設け、一定時間以上規定温度を超えた状態が続いたり発煙を感知した場合に印刷装置の主電源を落として管理者に通知を行う技術が提案されている（例えば、特許文献２参照）。
【先行技術文献】
【特許文献】
【０００４】
【特許文献１】特開平１０−２５４３０９号公報
【特許文献２】特開２００３−１５４７３９号公報
【発明の概要】
【発明が解決しようとする課題】
【０００５】
本発明の目的は、電子装置の電源系統部に高温による異常が発生した場合でも、異常の検出を確実に且つ容易に行うことができる電子装置、電子装置システム及びプログラムを提供することにある。
【課題を解決するための手段】
【０００６】
請求項１に記載の発明の電子装置は、高温による異常を検出する異常検出手段と、高温による異常の予兆を検出する予兆検出手段と、前記予兆検出手段により高温による異常の予兆を検出した場合、電源投入情報、予兆発生情報及び前記異常検出手段による検出結果を出力する出力手段と、を有する。
【０００７】
また、請求項２に記載の発明の電子装置は、請求項１記載の発明において、前記異常検出手段は、複数の対象部位毎に複数設けられている。
【０００８】
また、請求項３に記載の発明の電子装置は、請求項１又は２記載の発明において、前記予兆検出手段は、電源回路における電圧又は電流の異常を検出する。
【０００９】
さらに、請求項４に記載の発明の電子装置システムは、高温による異常を検出する異常検出手段と、高温による異常の予兆を検出する予兆検出手段と、前記予兆検出手段により高温による異常の予兆を検出した場合、電源投入情報、予兆発生情報及び前記異常検出手段による検出結果を出力する出力手段と、を有する第１の電子装置と、前記第１の電子装置の出力手段の出力結果に基づいて、前記第１の電子装置に、高温による異常が発生したか否かを判定する判定手段を有する第２の電子装置と、を有する。
【００１０】
また、請求項５に記載の発明の電子装置は、請求項４記載の発明において、前記判定手段は、電源投入情報によれば電源が投入されているのに関わらず、前記第１の電子装置の前記異常検出手段による検出結果が得られない場合に、前記第１の電子装置に、高温による異常が発生したと判定する。
【００１１】
また、請求項６に記載の発明の電子装置システムは、請求項４又は５記載の発明において、前記第２の電子装置は、前記第１の電子装置の予兆検出手段による予兆の検出が開始された場合は、前記第１の電子装置との通信を開始する通信制御手段をさらに有する。
【００１２】
また、請求項７に記載の発明の電子装置システムは、請求項４又は５記載の発明において、前記第２の電子装置は、前記第１の電子装置の予兆検出手段による予兆の検出が終了された場合は、前記第１の電子装置との通信を終了する通信制御手段をさらに有する。
【００１３】
また、請求項８に記載の発明の電子装置システムは、請求項４乃至７いずれか記載の発明において、前記第２の電子装置は、前記第１の電子装置の予兆検出手段による予兆が検出されている場合は、前記第２の電子装置の電源の遮断を禁止するように制御する禁止手段をさらに有する。
【００１４】
また、請求項９に記載の発明の電子装置システムは、請求項４乃至８いずれか記載の発明において、前記第１の電子装置の出力手段の出力結果に基づいて、前記第１の電子装置に、高温による異常が発生したか否かを判定する判定手段をさらに有する第３の電子装置をさらに有する。
【００１５】
また、請求項１０に記載の発明の電子装置システムは、請求項１又は請求項２記載の発明において、
また、請求項３に記載の発明の電子装置は、請求項９記載の発明において、前記第３の電子装置は、前記第２の電子装置の電源が遮断されている場合は、前記第２の電子装置に代行して前記第１の電子装置に、高温による異常が発生したか否かを判定する。
【００１６】
さらに、請求項１１に記載の発明のプログラムは、高温による異常を検出する異常検出ステップと、高温による異常の予兆を検出する予兆検出ステップと、高温による異常の予兆を検出した場合、電源投入情報、予兆発生情報及び前記異常検出手段による検出結果を出力する出力ステップと、をコンピュータに実行させる。
【発明の効果】
【００１７】
請求項１及び１１に記載の発明によれば、電子装置の電源系統部に高温による異常が発生した場合、該電子装置が異常検出を行えなくなっても、異常を管理する管理センタなどの他の装置が異常の検出を確実に且つ容易に行うことができる。
【００１８】
また、請求項２に記載の発明によれば、異常が発生した部位を把握することができる。
【００１９】
また、請求項３に記載の発明によれば、電子装置の電源系統部に高温による異常が発生した場合でも、異常の予兆を確実に且つ容易に検出することができる。
【００２０】
さらに、請求項４に記載の発明によれば、第１の電子装置に高温による異常が発生した場合、他の装置として第２の電子装置が異常の検出を確実に且つ容易に行うことができる。
【００２１】
また、請求項５に記載の発明によれば、第１の電子装置の電源系統部に高温による異常が発生した場合、該第１の電子装置が異常検出を行えなくなっても、第１の電子装置が異常の検出を確実に且つ容易に行うことができる。
【００２２】
また、請求項６に記載の発明によれば、本構成を有しないものと比較して、電子装置システム全体の処理負荷を抑えることができる。
【００２３】
また、請求項７に記載の発明によれば、雷等のサージによって発生した異常の予兆がなくなった場合、本構成を有しないものと比較して、電子装置システム全体の処理負荷を抑えることができる。また、第１の電子装置が正常にオフする場合、異常が発生したと誤って判別することを防止することができ、電子装置システム全体の処理負荷を抑えることができる。
【００２４】
また、請求項８に記載の発明によれば、第１電子装置の異常の予兆が発生した期間においては、本構成を有しないものと比較して、第２の電子装置による異常検出を確実に維持することができる。
【００２５】
また、請求項９に記載の発明によれば、第１の電子装置に高温による異常が発生した場合、異常検出装置の選択の自由が増える。
【００２６】
また、請求項１０に記載の発明によれば、第２の電子装置の異常検出機能が正常に停止する場合、第１の電子装置に高温による異常が発生したとき、本構成を有しないものと比較して、電子装置システムにおける異常検出を迅速に且つ柔軟に維持することができる。
【図面の簡単な説明】
【００２７】
【図１】本発明の実施形態に係る電子装置システムの概略構成を示すブロック図である。
【図２】本発明の実施形態に係る電圧波形の一例を示す波形図である。
【図３】本発明の実施形態に係る電源系統部以外に異常の予兆が検出された後に、電子装置システムの動作と状態を説明するタイミングチャートである。
【図４】本発明の実施形態に係る電源系統部に異常の予兆が検出された後に、電子装置システムの動作と状態を説明するタイミングチャートである。
【図５】本発明の実施形態に係る雷による異常の予兆が検出された後に、電子装置システムの動作と状態を説明するタイミングチャートである。
【図６】本発明の実施形態に係る異常の予兆が検出された後に、第１のＭＦＰのＯＮ／ＯＦＦ情報及び第２のＭＦＰの電源停止許可を含む電子装置システムの動作と状態を説明するタイミングチャートである。
【図７】本発明の実施形態に係る異常の予兆が検出された後に、第３のＭＦＰが第２のＭＦＰに代行して第１のＭＦＰの異常発生を検出する場合の電子装置システムの動作と状態を説明するタイミングチャートである。
【発明を実施するための形態】
【００２８】
以下、図面を参照して、本発明の実施形態について説明する。
【００２９】
始めに、図１を参照して、本発明の実施形態に係る電子装置システム１０の構成を説明する。ここに、図１は、本発明の実施形態に係る電子装置システム１０の概略構成を示すブロック図である。
【００３０】
図１において、電子装置システム１０は、例えば隔離された空間である事業所内に配置された第１のＭＦＰ（Multi-Function Peripheral：多機能周辺装置）１００、第２のＭＦＰ２００、第３のＭＦＰ３００、ネットワーク４００、管理センタ４０１、端末であるＰＣ４０２、４０３及び商用電源５００を備えて構成されている。
【００３１】
第１のＭＦＰ１００、第２のＭＦＰ２００及び第３のＭＦＰ３００は、本発明に係る「電子装置」の一例であり、例えばプリンタ、ファクシミリ（ＦＡＸ）及び複写機などの各ＯＡ機器の機能を有する複合機であり、ＰＣ４０２、４０３などからの印刷指示に応じて用紙などの記録媒体に画像を印刷すると共に、例えばＰＣ４０２、４０３などから入力された画像データ及び送信元番号通知信号をＦＡＸ機能によりネットワーク４００を介して電子装置システム１０の外部に対し送信する。なお、ＰＣ４０２、４０３は、ＰＣ以外の端末であってもよいし、ネットワーク４００は、有線であってもよいし、無線であってもよい。
【００３２】
図１に示されるように、第１のＭＦＰ１００、第２のＭＦＰ２００及び第３のＭＦＰ３００それぞれは、商用電源５００（例えば、ＡＣ１００Ｖ）に接続されている。
【００３３】
第１のＭＦＰ１００は、オン又はオフに切り替えられることにより商用電源５００から供給される電力を通電状態又は非通電状態に切り替える電源スイッチ１１０と、電源スイッチ１１０に接続され、当該電源スイッチ１１０及び電源配線１１５を介して商用電源５００から供給される電力を第１電圧レベル（例えば、５Ｖ）の直流電力に変換する第１低圧電源１１１と、電源スイッチ１１０に接続され、当該電源スイッチ１１０及び電源配線１１５を介して商用電源５００から供給される電力を第２電圧レベル（例えば、２４Ｖ）の直流電力に変換する第２低圧電源１１２とを備えている。電源スイッチ１１０、第１低圧電源１１１、第２低圧電源１１２及び電源配線１１５により、第１のＭＦＰ１００の電源系統部が構成され、電源配線１１５により、本発明における「電源回路」が構成されている。
【００３４】
また、第１のＭＦＰ１００は、コピー操作などの各種の操作指示が入力される操作ボタンや各種のメッセージ等を表示するための表示部が設けられたＵＩ（User Interface：ユーザインターフェイス）部１０５と、装置全体の動作を制御するコントローラ１０１と、画像データに基づいて電子写真方式にて感光体ドラムに潜像を形成し、形成された当該潜像にトナーを付着させて現像したトナー像を記録用紙に転写する画像形成部１０６と、加熱・加圧することにより記録用紙に転写されたトナー像を当該記録用紙に定着させる定着部１０８と、選択可能なオプション装置１０９とを備えている。
【００３５】
補足すると、オプション装置１０９は、第１のＭＦＰ１００の機能を拡張又は追加するために接続される、例えば、多量の用紙を収容しかつ使用できる用紙のサイズを増やすための用紙供給装置（Paper Feeder）や、両面印刷機能を追加するための両面印刷ユニットや、電子済の用紙に対して処理を施すための後処理装置（フィニッシャ）等各種のオプション装置である。
【００３６】
なお、図１の実線に示されるように、後述する予兆検出部１０７、定着部１０８及びオプション装置１０９は、電源スイッチ１１０に接続され、当該電源スイッチ１１０及び電源配線１１５を介して商用電源５００から電力が供給されている。コントローラ１０１は、第１低圧電源１１１に接続され、当該第１低圧電源１１１から電力が供給されている。ＵＩ部１０４及び画像形成部１０６は、第２低圧電源１１２に接続され、当該第２低圧電源１１２から電力が供給されている。
【００３７】
コントローラ１０１は、装置全体の動作を司るＣＰＵ（中央処理装置）１０２や、制御プログラムを含む各種プログラム等が予め記憶されたＲＯＭ（図示せず）、各種データを一時的に記憶するＲＡＭ（図示せず）、各種データを記憶して保持するＨＤＤ（ハード・ディスク・ドライブ）１０３、ネットワーク４００に接続され、ネットワーク４００を介して外部機器との間で通信データの送受信を行うＩ／Ｆ（インターフェイス）部１０４を備えている。
【００３８】
コントローラ１０１と、ＵＩ部１０５、画像形成部１０６及び予兆検出部１０７とは、バスＢＵＳ（図示せず）を介して相互に接続されている。従って、コントローラ１０１は、ＵＩ部に設けられた操作ボタンに対するユーザの操作状態を把握することができ、画像形成部１０６及び予兆検出部１０７の作動の制御を各々行うことができる。また、コントローラ１０１は、ＵＩ部１０５に設けられた表示部へのメッセージの表示を制御することができる。
【００３９】
第１のＭＦＰ１００には、電源系統部以外に高温による異常の検出対象とする電源系統部以外の対象部位それぞれに、温度センサ１１３が設けられている。より具体的には、図１に示されるように、電源系統部以外の対象部位として、ＵＩ部１０５、画像形成部１０６、定着部１０８、オプション装置１０９及び配線部（図示せず）それぞれに温度センサ１１３ａ〜１１３ｅが設けられている。
【００４０】
また、第１のＭＦＰ１００には、電源系統部に高温による異常の検出対象とする電源系統部の対象部位それぞれに、温度センサ１１４が設けられている。より具体的には、図１に示すように、電源系統部の対象部位として、第１低圧電源１１１、第２低圧電源１１２、電源スイッチ１１０及び電源配線１１５に温度センサ１１４ａ〜１１４ｄが設けられている。
【００４１】
本発明の実施形態では、温度センサ１１３及び温度センサ１１４の設置場所は、電源系統部以外及び電源系統部に高温による異常を検出することが可能である限りにおいて、各種の態様を有してよい。例えば、第１のＭＦＰ１００における各種機器の配置位置や装置上部、装置下部に温度センサを設けてもよい。
【００４２】
図１の点線に示されるように、温度センサ１１３及び温度センサ１１４それぞれは、コントローラ１０１に接続され、コントローラ１０１からの制御により温度センサ１１３及び温度センサ１１４が設けられた対象部位の温度を検出する。コントローラ１０１は、温度センサ１１３及び温度センサ１１４により検出された温度に基づいて各装置又は各対象部位に高温による異常が発生したか否かを判断する。
【００４３】
第１のＭＦＰ１００は、高温による異常の予兆を検出する予兆検出部１０７が設けられている。上述したように、予兆検出部１０７は、電源スイッチ１１０及び電源配線１１５を介して商用電源５００から電力が供給されているため、高温による異常が発生する場合、配線を介して供給される電力の電圧波形及び電流波形に、スパイク電圧や電圧低下、電流低下といった波形の異常が予兆として発生する。なお、配線を介して供給される電力の電圧波形及び電流波形の波形異常は、高温による異常の予兆の他に雷等のサージによっても発生し、頻度は同様である。
【００４４】
図２を参照して、予兆検出部１０７により検出された電圧波形の一例を説明する。ここに、図１は、本発明の実施形態に係る電圧波形の一例を示す波形図である。
【００４５】
図２（Ａ）には、電源配線１１５を介して供給される電力の電圧波形が示されており、図２（Ｂ）には、図２（Ａ）の電圧波形を全波整流した電圧波形が示されている。図２（Ｃ）には、電圧低下が発生した電圧波形が示されており、図２（Ｄ）には、図２（Ｃ）の電圧波形を全波整流した電圧波形が示されている。
【００４６】
予兆検出部１０７は、供給される交流電力のゼロクロス点（０Ｖとなる点）の検出を行って周期Ｔを求めると共に、例えば、供給される交流電力をダイオード・ブリッジ等を用いて全波整流し、全波した電圧波形のゼロクロス点から周期Ｔ／２となるタイミングでの電圧値を求めることにより、電圧波形の異常を検出する。予兆検出部１０７は、図１の点線に示されるように、コントローラ１０１に接続されており、予兆として電圧波形の異常を検出した場合、波形異常が発生したことを通知する。コントローラ１０１は、予兆検出部１０７から通知に基づいて、供給される電力の電圧波形の異常が発生したか否かを検出する。
【００４７】
なお、本発明の実施形態に係る予兆検出部１０７は、電圧波形の異常及び電流波形の異常から高温による異常の予兆を検出する場合について説明したが、本発明はこれに限定されるものではなく、例えば、高温となって生じた煙を発煙感知センサで検出することにより高温による異常の予兆を検出するものとしてもよい。また、高温となったことによる基板の変形等を検出するものとしてもよい。
【００４８】
また、第１のＭＦＰ１００と同様、第２のＭＦＰ２００及び第３のＭＦＰ３００それぞれは、装置全体の動作を制御するコントローラ２０１、３０１を備えており、コントローラ２０１、２０３それぞれは、装置全体の動作を司るＣＰＵ２０２、３０２や、各種データを記憶して保持するＨＤＤ２０３、３０３、ネットワーク４００に接続され、ネットワーク４００を介して外部機器との間で通信データの送受信を行うＩ／Ｆ部２０４、３０４を備えている。
【００４９】
次に、図３乃至図７を参照して、電子装置システム１０により異常発生を検出する動作を説明する。
【００５０】
図３を参照しながら、第１のＭＦＰ１００の電源系統部以外に異常が発生した場合、異常を検出する動作を説明する。ここに、図３は、本発明の実施形態に係る電源系統部以外に異常の予兆が検出された後に、電子装置システムの動作と状態を説明するタイミングチャートである。図３において、縦方向には、上段から順に、第１のＭＦＰ１００の予兆検出回数Ｎｆ、第１のＭＦＰ１００の検出温度ＴＰｄｔ、第１のＭＦＰ１００の温度異常情報通知の動作状態、第２のＭＦＰ２００の温度情報取得の動作状態、第２のＭＦＰ２００の異常判断の結果、第２のＭＦＰ２００の温度異常情報通知の動作状態及び第２のＭＦＰ２００の温度情報送信の動作状態が表されており、夫々において横軸には共通の時刻が表されている。
【００５１】
図３に示されるように、時刻Ｔ０において、予兆検出部１０７により検出された第１のＭＦＰ１００の予兆検出回数Ｎｆが基準回数Ｎｆ０を超えた場合は、高温による異常が発生する予兆として波形異常が発生したことをコントローラ１０１へ通知する。コントローラ１０１は、予め設定された頻度で各温度センサ１１３、１１４により温度の検出を行い、各温度センサ１１３、１１４により検出された温度に基づいて各対象部位に高温による異常が発生したか否かを判断し、検出された温度情報をＨＤＤ１０３に記憶する。このように、各温度センサ１１３による検出された温度情報をＨＤＤ１０３に記憶することにより、高温による異常が発生した場合に異常箇所の解析が容易になる。なお、ＨＤＤ１０３に記憶された温度情報は、定期的に一定期間以上古いものを削除することが好ましい。
【００５２】
また、この時刻Ｔ０において、即ち予兆検出部１０７により検出された第１のＭＦＰ１００の予兆検出回数Ｎｆが基準回数Ｎｆ０を超えた場合は、第１のＭＦＰ１００のＩ／Ｆ部１０４は、第１のＭＦＰの電源がＯＮ又はＯＦＦであることを示すＯＮ／ＯＦＦ情報、異常の予兆が発生したこと（以下、「予兆発生情報」と略称する）及びＨＤＤ１０３に記憶された温度情報を第２のＭＦＰ２００のＩ／Ｆ部２０４へ送信する。第２のＭＦＰ２００のＩ／Ｆ部２０４は、Ｉ／Ｆ部１０４側から送信された予兆発生情報の開始情報が受信されると、ネットワーク４００を介して第１のＭＦＰ１００のＩ／Ｆ部１０４へ定期的に通信し、ＯＮ／ＯＦＦ情報、予兆発生情報及び第１のＭＦＰ１００の温度情報を受信する、即ち第２のＭＦＰ２００の温度情報取得の動作状態はＹＥＳとなる。なお、この時刻Ｔ０に第２のＭＦＰ２００の異常判断の結果の初期値が正常（図示ＯＫ状態）に設定される。
【００５３】
ここで、基準回数Ｎｆ０は、検出された温度に基づいて異常発生の判断を行うか否かを判断する際の基準となる値であり、予めＨＤＤ１０３に記憶されている。基準回数Ｎｆ０は、実機を用いた実験や電子装置システム１０又は第１のＭＦＰ１００の設計仕様等に基づくコンピュータ・シミュレーション等によって予め定められてもよい。例えば、予め３分間中に１０回などの固定値として設定されてもよいし、リアルタイム的に何らかのパラメータの値に応じて可変とされる関数値であってもよい。同様、第２のＭＦＰ２００から第１のＭＦＰ１００への通信頻度は、ＨＤＤ１０３に記憶されている値であり、例えば３０秒間に１回など予め固定値として設定されてもよいし、例えば予兆検出回数などのパラメータの値に応じてリアルタイム的に可変とされる関数値であってもよい。
【００５４】
なお、本発明の実施形態に係る電子装置システム１０では、第２のＭＦＰ２００のＩ／Ｆ部２０４は、ネットワーク４００を介して第１のＭＦＰ１００へ定期的に通信するように構成されているが、第２のＭＦＰ２００が第１のＭＦＰに高温による異常を検出することが可能である限りにおいて、各種の態様を有してよい。例えば、第１のＭＦＰ１００のＩ／Ｆ部１０４は、ネットワーク４００を介して第２のＭＦＰ２００のＩ／Ｆ部２０４へ定期的に通信するように構成されてもよいし、第１のＭＦＰ１００と第２のＭＦＰ２００とが互いに通信するように構成されてもよい。
【００５５】
その後、時刻Ｔ１において、温度センサ１１３により検出された電源系統部以外の対象部位の温度が基準温度ＴＰ０を超えて、コントローラ１０１は、電源系統部以外に高温による異常が発生したと判定した場合は、ＵＩ部１０５の表示部等に高温による異常が発生した旨のメッセージを表示する。また、この時刻Ｔ１においては、第１のＭＦＰ１００が異常通知を行うことができるため、第１のＭＦＰ１００のＩ／Ｆ部１０４により第１のＭＦＰ１００の電源系統部以外に高温による異常が発生したこと（以下、「温度異常情報」と略称する）を、異常を管理する管理センタ４０１などの外部機器へ通知する。ここで、基準温度ＴＰ０は、高温による異常が発生した否かを判断する際の基準となる値であり、予めＨＤＤ１０３に記憶されている。基準温度ＴＰ０は、予め７０℃などの固定値として設定されてもよいし、リアルタイム的に何らかのパラメータの値に応じて可変とされる関数値であってもよい。
【００５６】
本発明の実施形態では、高温による異常が発生した場合、ＵＩ部１０５の表示部等に高温による異常が発生した旨のメッセージを表示してユーザに報知を行うように構成されているが、本発明はこれに限定されるものではなく、例えばＵＩ部１０５などで音声を用いてユーザに報知を行うようにしてもよい。
【００５７】
第１のＭＦＰ１００により、温度異常情報が管理センタ４０１へ送信されると、第２のＭＦＰ２００のＩ／Ｆ部２０４は、第１のＭＦＰ１００のＩ／Ｆ部１０４への定期的な通信、並びにＯＮ／ＯＦＦ情報、予兆発生情報及び第１のＭＦＰ１００の温度情報の受信を停止する、即ち第２のＭＦＰ２００の温度情報取得の動作状態はＮＯとなる。また、図３に示されるように、温度異常情報通知が第１のＭＦＰ１００により行われるため、第２のＭＦＰ１００により管理センタ４０１へ温度異常情報通知の動作状態及び温度情報送信の動作状態がＮＯのまま維持されている。
【００５８】
このように、第１のＭＦＰ１００の電源系統部以外に高温による異常が発生した場合、第１のＭＦＰ１００自身は、管理センタ４０１へ温度異常情報通知を行うことによって、異常の検出を確実に且つ容易に行うことができる。
【００５９】
図４を参照しながら、第１のＭＦＰ１００の電源系統部に異常が発生した場合、異常を検出する動作を説明する。ここに、図４は、本発明の実施形態に係る電源系統部に異常の予兆が検出された後に、電子装置システム１０の動作と状態を説明するタイミングチャートである。図４において、図３と重複する箇所には同一の符合を付してその説明を省略することとする。
【００６０】
図４に示されるように、時刻Ｔ０において、予兆検出部１０７により検出された第１のＭＦＰ１００の予兆検出回数Ｎｆが基準回数Ｎｆ０を超えた場合は、Ｉ／Ｆ部１０４側から送信された予兆発生情報の開始情報が受信されると、第２のＭＦＰ２００のＩ／Ｆ部２０４は、ネットワーク４００を介して第１のＭＦＰ１００のＩ／Ｆ部１０４へ定期的に通信し、ＯＮ／ＯＦＦ情報、予兆発生情報及び第１のＭＦＰ１００の温度情報を受信する、即ち第２のＭＦＰ２００の温度情報取得の動作状態はＹＥＳとなる。第２のＭＦＰ２００の異常判断の結果の初期値が正常（図示ＯＫ状態）に設定される。また温度情報は電源系統部を検知している温度センサ１１４のデータに限定して通信してもよい。
【００６１】
その後、時刻Ｔ２において、第１のＭＦＰ１００の電源系統部に異常が発生したため、電源系統部の温度センサ１１４の温度は上昇するが、基準温度ＴＰ０になる前に、第１のＭＦＰ１００の電源異常でオフとなった場合、第２のＭＦＰ２００のＩ／Ｆ部２０４から第１のＭＦＰ１００のＩ／Ｆ部１０４へ定期的な通信もできなくなり、ＯＮ／ＯＦＦ情報、予兆発生情報及び第１のＭＦＰ１００の温度情報の受信もできなくなった。この際、第１のＭＦＰ１００の温度情報が得られないことによって、第２のＭＦＰ２００は、異常判断の結果が異常（図示ＮＧ状態）となるように設定する。
【００６２】
すると、図４に示されるように、異常判断の結果を正しく確保するため、延期期間（即ち、時刻Ｔ２と時刻Ｔ３との間の時間差）が予め設定され、この延期期間が経過するまで、予め設定された頻度で第２のＭＦＰ２００のＩ／Ｆ部２０４から第１のＭＦＰ１００のＩ／Ｆ部１０４へ定期的な通信を行い続けて、第１のＭＦＰ１００の温度情報の入手ができない、即ち通信が回復できない場合、時刻Ｔ３において、第２のＭＦＰ２００は、コントローラ２０１により第１のＭＦＰ１００の電源系統部に高温による異常が発生したと判定されて、Ｉ／Ｆ部２０４により第１のＭＦＰ１００の電源系統部に高温による異常が発生した温度異常情報及び受信された第１のＭＦＰ１００の温度情報を管理センタ４０１へ送信する。即ち、第２のＭＦＰ１００により管理センタ４０１へ温度異常情報通知の動作状態及び温度情報送信の動作状態が共にＹＥＳとなる。
【００６３】
なお、本発明の実施形態では、時刻Ｔ２の直後の予め設定された延期期間（即ち、時刻Ｔ２と時刻Ｔ３との間の時間差）で、予め設定された頻度で第２のＭＦＰ２００のＩ／Ｆ部２０４から第１のＭＦＰ１００のＩ／Ｆ部１０４へ定期的な通信を行い続けるように構成されているが、予め設定された延期期間の代わりに、予め設定された延長回数で定期的な通信を行い続けて、予め設定された延長回数が終了するまで、第１のＭＦＰ１００の温度情報の入手ができない場合、第２のＭＦＰ２００は、温度異常情報及び受信された第１のＭＦＰ１００の温度情報を管理センタ４０１へ送信するように構成されてもよい。
【００６４】
この時刻Ｔ３において、第２のＭＦＰ２００により、温度異常情報が管理センタ４０１へ送信されると、第２のＭＦＰ２００のＩ／Ｆ部２０４は、第１のＭＦＰ１００のＩ／Ｆ部１０４への定期的な通信及び第１のＭＦＰ１００の温度情報などの受信を停止する、即ち第２のＭＦＰ２００の温度情報取得の動作状態はＮＯとなる。
【００６５】
このように、第１のＭＦＰ１００の電源系統部に高温による異常が発生した場合、第１のＭＦＰ１００が異常検出を行えなくなっても、第２のＭＦＰ２００が第１のＭＦＰ１００を代わって、異常の検出を確実に且つ容易に行うことができる。
【００６６】
図５を参照しながら、第１のＭＦＰ１００の雷などの別原因に異常の予兆が発生した場合、異常を検出する動作を説明する。ここに、図５は、本発明の実施形態に係る雷による異常の予兆が検出された後に、電子装置システム１０の動作と状態を説明するタイミングチャートである。図５において、図３と重複する箇所には同一の符合を付してその説明を省略することとする。
【００６７】
図５に示されるように、時刻Ｔ０において、予兆検出部１０７により検出された第１のＭＦＰ１００の予兆検出回数Ｎｆが基準回数Ｎｆ０を超えた場合は、第２のＭＦＰ２００のＩ／Ｆ部２０４は、ネットワーク４００を介して第１のＭＦＰ１００のＩ／Ｆ部１０４へ定期的に通信し、第１のＭＦＰ１００の温度情報などを受信する、即ち第２のＭＦＰ２００の温度情報取得の動作状態はＹＥＳとなる。
【００６８】
その後、時刻Ｔ４において、予兆検出部１０７により検出された第１のＭＦＰ１００の予兆検出回数Ｎｆが基準回数Ｎｆ０以下となった場合、第２のＭＦＰ２００のＩ／Ｆ部２０４は、第１のＭＦＰ１００のＩ／Ｆ部１０４への定期的な通信及び第１のＭＦＰ１００の温度情報の受信を停止する、即ち第２のＭＦＰ２００の温度情報取得の動作状態はＮＯと戻る。
【００６９】
このように、雷等のサージによって発生した異常の予兆がなくなった場合、第２のＭＦＰ２００から第１のＭＦＰ１００への通信などを終了させることで、電子装置システム１０全体の処理負荷を抑えることができる。
【００７０】
図６を参照しながら、第１のＭＦＰ１００の電源が正常にオフとなった場合、異常を検出する動作を説明する。ここに、図６は、本発明の実施形態に係る異常の予兆が検出された後に、第１のＭＦＰ１００のＯＮ／ＯＦＦ情報及び第２のＭＦＰ２００の電源停止許可判断の結果を含む電子装置システム１０の動作と状態を説明するタイミングチャートである。図６において、図３と重複する箇所には同一の符合を付してその説明を省略することとする。
【００７１】
図６に示されるように、時刻Ｔ０において、第１のＭＦＰ１００の予兆検出回数Ｎｆが基準回数Ｎｆ０を超えたため、第２のＭＦＰ２００の電源停止許可判断の結果がＮＧとなるように設定されている。即ち、第１のＭＦＰ１００の異常の予兆が発生した期間（即ち時刻Ｔ０から時刻Ｔ５までの期間及び後述する時刻Ｔ６以降の期間）においては、第１のＭＦＰ１００の電源が正常にＯＦＦしない限り、第２のＭＦＰ２００による異常検出機能をオフさせないように制御されている。このように、第１のＭＦＰ１００の異常の予兆が発生した期間においては、第２のＭＦＰ２００による異常検出の機能を停止させないことによって、第２のＭＦＰ２００による異常検出を確実に維持することができる。
【００７２】
その後、時刻Ｔ５において、第１のＭＦＰ１００の電源が正常にＯＦＦとなった場合、第２のＭＦＰ２００のＩ／Ｆ部２０４は、第１のＭＦＰ１００のＩ／Ｆ部１０４への定期的な通信、第１のＭＦＰ１００の温度情報及びＯＮ／ＯＦＦ情報の受信を一時停止する、即ち第２のＭＦＰ２００の温度情報取得の動作状態は一時的にＮＯとなる。この際、第１のＭＦＰ１００の電源が正常にＯＦＦとなったため、第２のＭＦＰ２００の電源停止許可判断の結果がＯＫとなるよう設定されている。
【００７３】
その後、時刻Ｔ６において、第１のＭＦＰ１００の電源が再びＯＮとなった場合、第２のＭＦＰ２００のＩ／Ｆ部２０４は、第１のＭＦＰ１００のＩ／Ｆ部１０４への定期的な通信、第１のＭＦＰ１００の温度情報及びＯＮ／ＯＦＦ情報の受信を再開すると共に、第２のＭＦＰ２００の電源停止許可判断の結果が再びＮＧとなる。
【００７４】
このように、第１のＭＦＰ１００が正常にオフする、即ち第２のＭＦＰ２００からの定期的な通信が正常に停止する場合でも、異常が発生したと誤って判別することを防止することができ、電子装置システム１０全体の処理負荷を抑えることができる。
【００７５】
図７を参照しながら、第１のＭＦＰ１００及び第２のＭＦＰ２００の電源が共に正常にオフとなった場合、異常を検出する動作を説明する。ここに、図７は、本発明の実施形態に係る異常の予兆が検出された後に、第３のＭＦＰ３００が第２のＭＦＰ２００に代行して第１のＭＦＰ１００の異常発生を検出する場合の電子装置システム１０の動作と状態を説明するタイミングチャートである。図７において、図６と重複する箇所には同一の符合を付してその説明を省略することとする。
【００７６】
図７に示されるように、時刻Ｔ７において、第１のＭＦＰ１００の電源が正常にＯＦＦとなって、時刻Ｔ８において再びＯＮとなった場合、第２のＭＦＰ２００の電源は、時刻Ｔ７から時刻Ｔ８までの期間（即ち第２のＭＦＰ２００の電源停止許可判断の結果がＯＫとなる期間）においてＯＦＦされる場合もある。
【００７７】
その後、第１のＭＦＰ１００の電源が再びＯＮとなった場合、予兆検出部１０７により検出された第１のＭＦＰ１００の予兆検出回数Ｎｆが基準回数Ｎｆ０を超えた時に、第２のＭＦＰ２００のＩ／Ｆ部２０４は、その電源がＯＦＦであるため、第１のＭＦＰ１００への定期的な通信を再開することが図れないことになる。代行する第３のＭＦＰ３００は、第２のＭＦＰ２００がＯＦＦする時に決めてもよいし、第１のＭＦＰ１００がＯＮする時に予め決めた順番でＯＮしているＭＦＰを探して決めてもよく、決め方は任意である。
【００７８】
この際、第１のＭＦＰ１００の再起動（即ち時刻Ｔ８）直後の時刻Ｔ９において、電源ＯＮにしている第３のＭＦＰ３００は、第２のＭＦＰ２００に代行して、そのＩ／Ｆ部３０４がネットワーク４００を介して第１のＭＦＰ１００のＩ／Ｆ部１０４へ定期的に通信し、第１のＭＦＰ１００の温度情報及びＯＮ／ＯＦＦ情報を受信する、即ち第３のＭＦＰ３００の温度情報取得の動作状態はＹＥＳとなる。
【００７９】
このように、第２のＭＦＰ２００の異常検出機能が正常にオフになる場合、第１のＭＦＰ１００に高温による異常が発生したとき、第３のＭＰＦ３００が第２のＭＦＰ２００に代行して異常の検出を行うことで、電子装置システム１０における異常検出を迅速に且つ柔軟に維持することができる。また、第１のＭＦＰ１００に高温による異常が発生した場合、異常検出装置の選択の自由も増える。
【産業上の利用可能性】
【００８０】
本発明に係る電子装置、電子装置システム及びプログラムは、高温による異常を検出することが可能な電子装置、電子装置システム及びプログラムに関する。
【符号の説明】
【００８１】
１０      電子装置システム
１００    第１のＭＦＰ
１０１    コントローラ
１０２    ＣＰＵ
１０３    ＨＤＤ
１０４    Ｉ／Ｆ部
１０５    ＵＩ部
１０６    画像形成部
１０７    予兆検出部
１０８    定着部
１０９    オプション装置
１１０    電源スイッチ
１１１    第１低圧電源
１１２    第２低圧電源
１１３    温度センサ
１１４    温度センサ
１１５    電源配線
２００    第２のＭＦＰ
２０１    コントローラ
２０２    ＣＰＵ
２０３    ＨＤＤ
２０４    Ｉ／Ｆ部
３００    第３のＭＦＰ
３０１    コントローラ
３０２    ＣＰＵ
３０３    ＨＤＤ
３０４    Ｉ／Ｆ部
４００    ネットワーク
４０１    管理センタ
４０２    ＰＣ
４０３    ＰＣ
５００    商用電源
【図１】
2011205776.tif 000003
【図２】
2011205776.tif 000004
【図３】
2011205776.tif 000005
【図４】
2011205776.tif 000006
【図５】
2011205776.tif 000007
【図６】
2011205776.tif 000008
【図７】
2011205776.tif 000009